(57)【要約】【課題】  医薬品の確実な服用を促すこと。【解決手段】  処方箋に画像コードとして記録された医薬品の少なくとも種別、時刻を含む服用スケジュールデータを画像読み取り手段によって読込み、記憶手段に記憶する第１のステップと、現在時刻において服用すべき医薬品が前記記憶手段に記憶されているかをチェックし、服用すべき医薬品があればアラームによって服用時刻になったことを通知する第２のステップと、服用すべき医薬品に開封しなければ読めない部位に画像コードとして記録された医薬品の種別を開封状態で画像読み取り手段によって読込み、現在時刻において服用すべき前記服用スケジュールデータで指定された種別その他医薬品の全てに関する画像コードが読込まれたかをチェックし、読込まれた場合には前記アラームを停止させる第３のステップとを備える。【選択図】      図６
2006172261.tif 000002
【特許請求の範囲】
【請求項１】
処方箋に画像コードとして記録された医薬品の少なくとも種別、時刻を含む服用スケジュールデータを画像読み取り手段によって読込み、記憶手段に記憶する第１のステップと、
現在時刻において服用すべき医薬品が前記記憶手段に記憶されているかをチェックし、服用すべき医薬品があればアラームによって服用時刻になったことを通知する第２のステップと、
服用すべき医薬品に開封しなければ読めない部位に画像コードとして記録された医薬品の種別を開封状態で画像読み取り手段によって読込み、現在時刻において服用すべき前記服用スケジュールデータで指定された種別その他医薬品の全てに関する画像コードが読込まれたかをチェックし、読込まれた場合には前記アラームを停止させる第３のステップと
を備えることを特徴とする医薬品の服用促進方法。
【請求項２】
前記第３のステップにおいて、前記画像読み取り手段によって読込む情報には医薬品の通し番号を更に含み、読込まれた医薬品の種別および通し番号を前記記憶手段に服用履歴データとして記憶し、新たに読込んだ医薬品の通し番号が前記服用履歴データ内に既に記憶されていた場合には、アラームを停止させないことを特徴とする請求項１に記載の医薬品の服用促進方法。
【請求項３】
前記服用スケジュールデータにより指定された医薬品の画像コードが服用時刻の所定時間前に前記画像読み取り手段により読込まれた場合には、服用時刻におけるアラームを抑止する第４のステップを備えることを特徴とする請求項１または２に記載の医薬品の服用促進方法。
【請求項４】
医薬品の服用を促進する端末装置であって、
処方箋に画像コードとして記録された医薬品の少なくとも種別、時刻を含む服用スケジュールデータを画像読み取り手段によって読込み、記憶手段に記憶する第１の手段と、
現在時刻において服用すべき医薬品が前記記憶手段に記憶されているかをチェックし、服用すべき医薬品があればアラームによって服用時刻になったことを通知する第２の手段と、
服用すべき医薬品に開封しなければ読めない部位に画像コードとして記録された医薬品の種別を開封状態で画像読み取り手段によって読込み、現在時刻において服用すべき前記服用スケジュールデータで指定された種別その他医薬品の全てに関する画像コードが読込まれたかをチェックし、読込まれた場合には前記アラームを停止させる第３の手段と
を備えることを特徴とする端末装置。
【請求項５】
前記第３の手段は、前記画像読み取り手段によって読込む情報には医薬品の通し番号を更に含み、読込まれた医薬品の種別および通し番号を前記記憶手段に服用履歴データとして記憶し読込まれた医薬品の種別および通し番号を前記記憶手段に服用履歴データとして記憶し、新たに読込んだ医薬品の通し番号が前記服用履歴データ内に既に記憶されていた場合には、アラームを停止させないことを特徴とする請求項４に記載の端末装置。
【請求項６】
前記服用スケジュールデータにより指定された医薬品の画像コードが服用時刻の所定時間前に前記画像読み取り手段により読込まれた場合には、服用時刻におけるアラームを抑止する第４の手段を備えることを特徴とする請求項４または５に記載の端末装置。
【発明の詳細な説明】
【技術分野】
【０００１】
本発明は、医薬品の確実な服用を促す方法および装置に関するものである。
【背景技術】
【０００２】
従来、医薬品の確実な服用を促す技術としては、スケジュール管理機能を有する情報端末に服用スケジュールを入力する方法や、下記の特許文献１に開示されたものがある。
【特許文献１】特開２００３−１６１８５号公報  スケジュール管理機能を有する情報端末を使用する場合、利用者が服用スケジュールを入力する必要がある。  また、特開２００３−１６１８５号公報に記載のものは、処方箋情報を蓄積したセンタと利用者が持つモバイル端末からなり、医薬品を服用する時期になったならば、センタから前記モバイル端末に医薬品の服用を通知するメールを送信し、利用者から返信があるまで前記メールを送りつづけるものである。
【発明の開示】
【発明が解決しようとする課題】
【０００３】
しかしながら、特開２００３−１６１８５号公報に記載の技術を使用する場合、服用通知のメールが来た後に利用者が実際に医薬品を服用する前に返信を行うことが可能であり、返信を行ってから実際に服用するまでの間に服用を忘れてしまう場合があり、服用を確実に促す上で不十分である。
【０００４】
本発明の目的は、利用者が実際に医薬品を開封しなければアラームを止められないようにすることによって、医薬品の確実な服用を促す方法及び装置を提供することにある。
【課題を解決するための手段】
【０００５】
上記目的を達成するために、本発明に係る医薬品の服用促進方法は、処方箋に画像コードとして記録された医薬品の少なくとも種別、時刻を含む服用スケジュールデータを画像読み取り手段によって読込み、記憶手段に記憶する第１のステップと、現在時刻において服用すべき医薬品が前記記憶手段に記憶されているかをチェックし、服用すべき医薬品があればアラームによって服用時刻になったことを通知する第２のステップと、服用すべき医薬品に開封しなければ読めない部位に画像コードとして記録された医薬品の種別を開封状態で画像読み取り手段によって読込み、現在時刻において服用すべき前記服用スケジュールデータで指定された種別その他医薬品の全てに関する画像コードが読込まれたかをチェックし、読込まれた場合には前記アラームを停止させる第３のステップとを備えることを特徴とする。
また、前記第３のステップにおいて、前記画像読み取り手段によって読込む情報には医薬品の通し番号を更に含み、読込まれた医薬品の種別および通し番号を前記記憶手段に服用履歴データとして記憶し、新たに読込んだ医薬品の通し番号が前記服用履歴データ内に既に記憶されていた場合には、アラームを停止させないことを特徴とする。
また、前記服用スケジュールデータにより指定された医薬品の画像コードが服用時刻の所定時間前に前記画像読み取り手段により読込まれた場合には、服用時刻におけるアラームを抑止する第４のステップを備えることを特徴とする。
本発明に係る端末装置は、医薬品の服用を促進する端末装置であって、
処方箋に画像コードとして記録された医薬品の少なくとも種別、時刻を含む服用スケジュールデータを画像読み取り手段によって読込み、記憶手段に記憶する第１の手段と、現在時刻において服用すべき医薬品が前記記憶手段に記憶されているかをチェックし、服用すべき医薬品があればアラームによって服用時刻になったことを通知する第２の手段と、服用すべき医薬品に開封しなければ読めない部位に画像コードとして記録された医薬品の種別を開封状態で画像読み取り手段によって読込み、現在時刻において服用すべき前記服用スケジュールデータで指定された種別その他医薬品の全てに関する画像コードが読込まれたかをチェックし、読込まれた場合には前記アラームを停止させる第３の手段とを備えることを特徴とする。
また、前記第３の手段は、前記画像読み取り手段によって読込む情報には医薬品の通し番号を更に含み、読込まれた医薬品の種別および通し番号を前記記憶手段に服用履歴データとして記憶し読込まれた医薬品の種別および通し番号を前記記憶手段に服用履歴データとして記憶し、新たに読込んだ医薬品の通し番号が前記服用履歴データ内に既に記憶されていた場合には、アラームを停止させないことを特徴とする。
また、前記服用スケジュールデータにより指定された医薬品の画像コードが服用時刻の所定時間前に前記画像読み取り手段により読込まれた場合には、服用時刻におけるアラームを抑止する第４の手段を備えることを特徴とする。
【発明の効果】
【０００６】
本発明によれば、医薬品の服用時刻になった場合に、服用時刻が到来したことを利用者に通知し、医薬品を開封して画像コードを読み取らせない限りアラームを止められないため、医薬品の確実な服用を促すことができる。
【発明を実施するための最良の形態】
【０００７】
以下、本発明を実施する場合の一形態を図面を参照して具体的に説明する。
図１は、本発明で使用する画像コードが印字された処方箋の一例を示す図である。
図示のように、処方箋１には服用スケジュールのデータを記録した画像コード１０が印字されている。
画像コード１０の服用スケジュールデータには、少なくとも服用スケジュールのデータであることを示すフラグと、服用期間、服用時刻（朝・昼・夕・食後・食前・食間・就寝前・時刻・毎日・隔日等）と、服用時刻毎に服用する医薬品種別と量が記録されている。
画像コード１０の形式は必要なデータを保持できるものであればよく、例えばＱＲコードが代表的である。
【０００８】
図２は、開封しなければ見えない部分に画像コードを印字した医薬品の一例を示す図である。
画像コード２０のデータには、少なくとも医薬品２のデータであることを示すフラグと、医薬品２の種別が記録されている。そして、画像コード２０は医薬品２を開封しなければ見えない位置に印字されている。また、画像コード２０は、１錠単位、１包単位で異なる通し番号が記録され、同じ種別で同じ通し番号の画像コードを読み取らせた場合には、不正が行われたものと判定可能になっている。
【０００９】
図３（ａ）は、医薬品を服用する利用者が使用する利用者端末の実施の形態を示すブロック図である。
利用者端末３は、演算処理を行う処理部３０と、利用者が操作する操作部３１と、画像コードの読み取り部３２と、服用スケジュールを記憶し、かつ服用した医薬品の種別と通し番号を服用履歴データとして記憶しておく記憶部３３と、服用する医薬品の種別、量及び操作状況を表示する表示部３４、服用を促すためのアラーム３５、現在時刻を出力しているタイマ３６から構成されている。
この利用者端末３は、図３（ｂ）に示すように、カメラで構成された画像コード読み取り部３２を備えた携帯電話機３５で構成することできる。この他に、カメラ機能を備えたＰＤＡなどの携帯情報端末で構成することができる。
表示部３４は、携帯電話機の表示画面、操作部３１は携帯電話機のキーパッドで構成することができる。
利用者は、事前に食事の時刻等必要な情報を操作部３１から入力し、利用端末３の記憶部３３に登録する。
【００１０】
図４は、処方箋１に印字された服用スケジュールの画像コード１０を読み込ませる時の利用者端末３の処理を示すフローチャートである。
まず、読み取り部３２によって画像コード１０を読み取り（ステップ４０）、画像コード２０のデータを復元し、データが服用スケジュールのデータであることを画像コード１０中のフラグによってチェックする（ステップ４１）。服用スケジュールのデータでなければ、エラーメッセージを表示部に表示する（ステップ４２）。
服用スケジュールのデータであれば、データを解析し、その内容を表示部３４に表示し（ステップ４３）、利用者に登録の可否を確認する（ステップ４４）。可の応答があれば、服用スケジュールを記憶部３３に保存する（ステップ４５）。否であれば、登録を終了する。
【００１１】
図５は、服用スケジュールを記憶部３３に登録した後の利用者端末３の待機状態における処理を示すフローチャートである。
待機状態は他の各処理が終了したときに実行される処理であり、次回アラームが鳴るまで、または利用者によって操作が行われるまで待機する。
待機状態では、服用スケジュールに登録された医薬品があるかチェックする（ステップ５０１）。登録された医薬品があれば、現在時刻が服用時刻になっている医薬品があるかチェックし（ステップ５０２）、ある場合はアラーム３５を鳴らし（ステップ５０３）、「アラームを止める処理」（図６）に移行する。
登録された医薬品がない、または服用時刻ではない場合は、利用者の操作があるかチェックする(ステップ５０４)。操作があれば表示部３４にメニュー画面を表示し（ステップ５０５）、「医薬品の登録」メニューが選択されたならば「服用スケジュール読み取り処理」（図４）へ移行し（ステップ５０６、５０７）、「医薬品登録削除」メニューが選択されたならば「服用スケジュール削除処理」(図８)へ移行し（ステップ５０８、５０９）、服用した「医薬品入力」メニューが選択されれば「アラームを抑止する処理」（図７）へ移行する（ステップ５１０，５１１）。入力がないか、メニューから選択されなかった場合は、待機処理の先頭に戻る。
【００１２】
図６は、アラームを止める際の利用者端末３の処理を示すフローチャートである。
アラーム一時停止中で、かつ一定時間が経過しているかチェックし（ステップ６０１）、その場合はアラーム一時停止を解除し（ステップ６０２）、最初に戻る。
次に利用者の操作内容をチェックし（ステップ６０３）、利用者が一時停止の操作をした場合は、アラームを一時停止し（ステップ６０４）最初に戻る。
利用者が画像コードを読み込ませた場合は、画像コードが医薬品２の画像コード２０であるかチェックし（ステップ６０５）、医薬品２の画像コード２０でなければエラーを表示する（ステップ６０６）。
医薬品２の画像コード２０であれば、服用スケジュールに登録された医薬品種別であるかチェックし（ステップ６０７）、登録されていない医薬品種別であればエラーを表示する（ステップ６０６）。
登録された医薬品種別であり、一意な通し番号が付いているかチェックし（ステップ６０８）、付いていない場合は当該医薬品種別を服用済みとして記憶部３３の服用履歴データに記録する（ステップ６０９）。
一意な通し番号がある場合には、過去に記憶した同じ医薬品種別の通し番号に一致するものがないかどうかを記憶部３３に記憶されている服用履歴データによりチェックし（ステップ６１０）、一致するものがあればエラーを表示する（ステップ６１１）。
一致するものがなければ、医薬品種別と通し番号を記憶部３３の服用履歴データに服用済みとして記憶し（ステップ６０９）、当該医薬品種別を服用済みにマークする。
現在時刻で服用すべき全ての医薬品２が服用済みにマークされたかチェックし（ステップ６１２）、チェックされていたらアラーム３５を止める（ステップ６１３）。
【００１３】
図７は、アラームが鳴る一定時間前に医薬品２の画像コード２０を読み込ませてアラームが鳴ることを抑止する処理を示すフローチャートである。
まず、アラーム３５が鳴るまでに一定時間以内であるかチェックし（ステップ７０１）、一定時間以上ある場合はエラーを表示し（ステップ７１２）読み込みをしない。
一定時間以内であれば、画像コード２０を読み込み（ステップ７０２）、画像コードが医薬品２の画像コード２０であるかチェックし（ステップ７０３）、医薬品２の画像コード２０でなければエラーを表示する（ステップ７０５）。
医薬品２の画像コード２０であれば、服用スケジュールに登録された医薬品種別であるかチェックし（ステップ７０４）、登録されていない医薬品種別であればエラーを表示する（ステップ７０５）。
登録された医薬品種別である場合は、一意な通し番号が付いているかチェックし（ステップ７０６）、付いていない場合は当該医薬品種別を服用済みとして服用履歴データに記録する（ステップ７０８）。
一意な通し番号が付いている場合には、過去に記憶した同じ医薬品種別の通し番号に一致するものがないかチェックし（ステップ７０７）、一致するものがあればエラーとする（ステップ７０９）。
一致するものがなければ、医薬品種別と通し番号を服用履歴データに記憶し、当該医薬品種別を服用済みにマークする（ステップ７０８）。
現在時刻で服用すべき全ての医薬品が服用済みにマークされたかチェックし（ステップ７１０）、全てがチェックされたら次回服用時のアラーム３５がならないようにする（ステップ７１１）。
【００１４】
図８は、服用スケジュール削除処理のフローチャートである。
利用者が「医薬分登録削除」メニューを選択した場合、まず、読み取り部３２によって処方箋１の画像コード１０を読み取り（ステップ８０１）、画像コード１０のデータを復元し、データが服用スケジュールのデータであること、また既に登録してある服用スケジュールであることをチェックする（ステップ８０２，８０３）。
服用スケジュールのデータでなければ、または登録されていない服用スケジュールであれば、エラーメッセージを表示部３４に表示する（ステップ８０２，８０３，８０４）。
登録された服用スケジュールのデータであれば、データを解析し、その内容を表示部３４に表示し、利用者に削除の可否を確認する(ステップ８０６)。可の応答が利用者からなされたならば、登録されている服用スケジュールを削除する（ステップ８０７）。否であれば、削除処理を終了する。
なお、上記実施形態において、画像コード１０の服用スケジュールデータには、服用時刻毎に服用する医薬品種別と量が記録されているものとしたが、量のデータについては、服用時刻のデータを服用量に対応する数だけ複数個記録しておき、この複数個の時刻データによって量を管理するようにしてもよい。
【図面の簡単な説明】
【００１５】
【図１】服用スケジュールデータの画像コードを印字した処方箋の一例を示す図である。
【図２】開封しなければ見えない場所に画像コードを印字した医薬品の一例を示す図である。
【図３】利用者端末の実施の形態を示すブロック図である。
【図４】服用スケジュールを読み込ませる時のフローチャートである。
【図５】待機状態での処理を示すフローチャートである。
【図６】アラームを止める時の処理を示すフローチャートである。
【図７】事前にアラームが鳴るのを抑止する時の処理を示すフローチャートである。
【図８】服用スケジュールを削除する時のフローチャートである。
【符号の説明】
【００１６】
１    処方箋
２    医薬品
１０    画像コード
２０    画像コード
３０    処理部
３１    操作部
３２    画像コード読み取り部
３３    記憶部
３４    表示部
３５    携帯電話機
【図１】
2006172261.tif 000003
【図２】
2006172261.tif 000004
【図３】
2006172261.tif 000005
【図４】
2006172261.tif 000006
【図５】
2006172261.tif 000007
【図６】
2006172261.tif 000008
【図７】
2006172261.tif 000009
【図８】
2006172261.tif 000010